(57)【特許請求の範囲】
【請求項１】
浴室の基礎部分において、上面に開口する単数または複数の排水口が設けられると共に、該排水口に向かって徐々に低くなるように傾斜する傾斜面が形成されたコンクリート床版と、
前記コンクリート床版上に粒径寸法が５０ｍｍ以下の天照石からなる砕石を４００ｍｍ以上の厚さで敷設した薬石層と、
前記コンクリート床版の上面に沿って配設され、ボイラーにより加熱された温水が循環する加熱配管と、
前記ボイラーにより加熱された温水が前記浴室内に供給可能に設けられた温水供給管と、を備えた薬石温浴施設であって、
前記薬石層は、
粒径寸法が２５ｍｍ〜５０ｍｍである前記天照石からなる砕石をコンクリート床版上に敷設してなる第１の薬石層と、
粒径寸法が２５ｍｍ以下である前記天照石からなる砕石を前記第１の薬石層の上に敷設してなる第２の薬石層と、
粒径寸法が２５ｍｍ〜５０ｍｍである前記天照石からなる砕石を前記第２の薬石層の上に敷設してなる第３の薬石層と、を有していることを特徴とする薬石温浴施設。
【請求項２】
前記温水供給管には、前記温水供給管に供給された温水を９．８ＭＰａ以上の吐出圧で吐出する高圧洗浄機が着脱自在であることを特徴とする請求項１記載の薬石温浴施設。
【請求項３】
前記浴室には、前記浴室内における放射線量が均等になる配列でラジウム鉱石が配設されていることを特徴とする請求項１または２記載の薬石温浴施設。
【請求項４】
前記浴室の内壁がヒノキ板により形成されていることを特徴とする請求項１〜３のうちのいずれか一項に記載の薬石温浴施設。
【請求項５】
前記ボイラーの燃料は、きのこの人工栽培後に発生した廃オガを原料とするペレットであることを特徴とする請求項１〜４のうちのいずれか一項に記載の薬石温浴施設。
【発明の詳細な説明】
【技術分野】
【０００１】
本発明は薬石温浴施設に関し、より詳細には、常に衛生的に利用することが可能な薬石温浴施設に関する。
【背景技術】
【０００２】
遠赤外線を照射する岩石等を敷設した床に体を横たえる等して汗をかくことにより、リラックス効果や、体内の老廃物を汗と共に排出するいわゆるデトックス効果を得ることができる薬石温浴施設（岩盤浴サウナと称することもある）が知られている。
このような薬石温浴施設としては、例えば、特許文献１や特許文献２に開示されているような構成を有するものが知られている。
【先行技術文献】
【特許文献】
【０００３】
【特許文献１】実用新案登録第３１０６３３７号公報
【特許文献２】実用新案登録第３１０８６７４号公報
【発明の概要】
【発明が解決しようとする課題】
【０００４】
特許文献１，２には、加熱ボイラーからの温水をコンクリート層に循環させる加熱用の配管と、コンクリート層の上層に設けた薬石層に温泉水を供給する温泉水供給用の配管が配設された薬石温浴施設の構成が開示されている。
これら薬石温浴施設には、薬石層に温泉水を供給するための温泉水供給用の配管が設けられているが、薬石層に供給された後の温泉水の排水処理に関しては、特許文献１，２のいずれにおいても何らの説明もなされていない。また、薬石層の洗浄処理に関する記載や示唆もなされていない。
【０００５】
たとえ薬石層に供給する温泉水量が少量であり、供給された温泉水のほとんどが蒸発してしまうことを理由として薬石温浴施設に排水処理の設置がなされていなかったとしても、薬石層には老廃物が多く含まれている汗が排出されるため、定期的に薬石層を洗浄処理する必要がある。しかしながら薬石温浴施設内に給水設備や排水処理設備が配設されていないと、薬石層の洗浄処理は実質不可能になり、薬石温浴施設の衛生的な使用ができなくなってしまうという課題がある。また、場合によっては薬石層内で繁殖した細菌等により感染症を引き起こすおそれがあるという課題もある。
【０００６】
そこで本発明は、薬石層に排出された汗や洗浄処理により浸透した洗浄後の排水を適切に排出することができる構成を具備し、薬石層を適切に洗浄することにより、長期にわたって衛生的に使用することが可能な薬石温浴施設の提供を目的としている。
【課題を解決するための手段】
【０００７】
上記課題を解決するために本発明者は鋭意研究を行った結果、以下の構成に想到した。
すなわち、浴室の基礎部分において、上面に開口する単数または複数の排水口が設けられると共に、該排水口に向かって徐々に低くなるように傾斜する傾斜面が形成されたコンクリート床版と、前記コンクリート床版上に粒径寸法が５０ｍｍ以下の天照石からなる砕石を４００ｍｍ以上の厚さで敷設した薬石層と、前記コンクリート床版の上面に沿って配設され、ボイラーにより加熱された温水が循環する加熱配管と、前記ボイラーにより加熱された温水が前記浴室内に供給可能に設けられた温水供給管と、を備えた薬石温浴施設であって、前記薬石層は、粒径寸法が２５ｍｍ〜５０ｍｍである前記天照石からなる砕石をコンクリート床版上に敷設してなる第１の薬石層と、粒径寸法が２５ｍｍ以下である前記天照石からなる砕石を前記第１の薬石層の上に敷設してなる第２の薬石層と、粒径寸法が２５ｍｍ〜５０ｍｍである前記天照石からなる砕石を前記第２の薬石層の上に敷設してなる第３の薬石層と、を有していることを特徴とする薬石温浴施設である。
【０００９】
また、前記温水供給管には、前記温水供給管に供給された温水を９．８ＭＰａ以上の吐出圧で吐出する高圧洗浄機が着脱自在であることが好ましい。これにより、薬石層の洗浄を確実に行うと共に薬石層の洗浄作業に要する労力を大幅に軽減させることができる。
【００１０】
さらに、前記浴室には、前記浴室内における放射線量が均等になる配列でラジウム鉱石が配設されていることが好ましい。これにより、ラジウム鉱石から放出される微弱放射線により、微弱放射線浴をすることができる。
さらにまた、前記浴室の内壁がヒノキ板により形成されていることが好ましい。これにより、リラックス効果や抗菌効果を高めることができる。
また、前記ボイラーの燃料は、きのこの人工栽培後に発生した廃オガを原料とするペレットであることを特徴とする。これにより、きのこの人工栽培後に発生する廃オガを通年にわたって利用または処分することができる。また、廃オガの焼却灰は、畑の肥料や土質改良剤としても利用することができるようになり、廃オガを有効利用することが可能になる。これにより廃棄処分場に持ち込む廃オガの廃棄量を大幅に削減することができる。
【発明の効果】
【００１１】
本発明にかかる薬石温浴施設の構成によれば、薬石層を洗浄処理することができると共に、薬石層の洗浄後の排水や使用者から排出された老廃物等を確実に排水処理することが可能になり、長期にわたって衛生的な薬石温浴施設を提供することができる。
また、使用者が薬石層に体を横たえた際に、薬石を構成する砕石が使用者の体に付着することを防止し、浴室内における砕石の散乱を防止することができる。
【図面の簡単な説明】
【００１２】
【図１】本実施形態にかかる薬石温浴施設の平面図である。
【図２】図１中Ａ−Ａ線における断面図である。
【図３】他の実施形態における薬石温浴床の図２に相当する断面図である。
【発明を実施するための最良の形態】
【００１３】
以下、本発明にかかる薬石温浴施設の実施形態について図面に基づいて説明する。
本実施形態にかかる薬石温浴施設３００は、図１および図２に示すように、建屋２００内に休憩室２１０、更衣室２２０、浴室２４０、シャワールーム２５０を備え、浴室２４０には薬石温浴床１００が設けられている。
【００１４】
薬石温浴床１００は、図２に示すようにコンクリート床版１０と、コンクリート床版１０の上面に敷設された薬石層２０と、コンクリート床版１０の上面形状に沿って配設された加熱配管３０と、を有している。建屋２００の外にはペレットボイラー５０が配設されている。ペレットボイラー５０により加熱された温水は一旦温水タンク５２に貯留され、温水タンク５２から加熱配管３０および温水供給管４０に供給されている。温水供給管４０は浴室２４０内に温水を供給することができるように敷設されている。
【００１５】
図２に示すように、コンクリート床版１０には上面に開口する排水口１２が所定間隔をあけて配設されている。本実施形態においては各浴室２４０，２４０の中央部分に一箇所ずつ排水口１２が設けられている。コンクリート床版１０の上面は、それぞれの排水口１２に向かってすり鉢状に傾斜する傾斜面１４に形成されている。本実施形態における排水口１２には下水道や排水処理装置に連通する排水管（いずれも図示せず）が接続されている。排水口１２の開口面は、金属製または合成樹脂製のメッシュ体により透水性を確保した状態で被覆しておくことが好適である。
【００１６】
コンクリート床版１０上面には、粒径寸法が５０ｍｍ以下の天照石（一般的には、宮崎県の高千穂地方で採掘される岩石であり、学名「見立礫岩」のことを指す）からなる砕石を、コンクリート床版１０の上面のうち最も高い位置（図２中の一点鎖線部分）からの厚さが４００ｍｍ以上となるように敷設している。本発明においてはこの天照石からなる砕石層を薬石層２０としている。先にも説明したとおり、コンクリート床版１０の上面は傾斜面１４に形成されているので、薬石層２０の層厚さは場所によって異なっているが、最薄部であっても層厚さは４００ｍｍ以上となっている。
【００１７】
薬石層２０を構成する天照石からなる砕石は、薬石層２０の上側部分および排水口１２の近傍位置に敷設される砕石の径寸法が、薬石層２０の他の部分における砕石の径寸法よりも大径寸法となるように敷設されているのが好適である。このような薬石層２０の砕石敷設形態を採用することにより、使用者が薬石層２０に横たわった際に薬石層２０の表面にある砕石が使用者の身体または着衣に付着することを防ぎ、浴室２４０内における砕石の散乱を防止することができる。また、薬石層２０の洗浄処理が容易に行え、かつ、薬石層２０の洗浄後に生じる汚水を確実に排水することができると共に、排水口１２の開口部を被覆しているメッシュ体の目詰まりを防止することができる点においても好都合である。
【００１８】
コンクリート床版１０の上面には加熱配管３０が埋設されている。加熱配管３０は、建屋２００の外部に配設された単数または複数のペレットボイラー５０に接続されており、所定温度（６０℃〜８０℃）に加熱された温水が温水タンク５２に貯留され、温水タンク５２から供給されている。加熱配管３０に供給された温水は再びペレットボイラー５０に戻り、加熱された後に温水ボイラー５２に供給される。このようにして加熱配管３０に温水を循環させることでコンクリート床版１０と薬石層２０はそれぞれ４５℃程度に加熱・保温される。
本実施形態にかかるペレットボイラー５０は、木材のオガ屑やコーンコブ等の植物材を主材とした培地により茸の人工栽培をした後に排出される廃培地を原料としたペレットを燃料にすることが好適であり、燃料費の大幅な低減や、廃培地の減量、二酸化炭素排出量をゼロにみなすことができる点で好都合である。このようなペレットボイラー５０としては、自動的にペレットの供給を行い、連続運転および自動温度調整を行うと共に、燃焼灰を自動的に排出することができる全自動型のペレットボイラー５０が好適に用いられる。
【００１９】
また、図示しないが温水供給管４０の浴室２４０側端部には、可搬式の高圧洗浄機が着脱可能な継手が接続されている。このような継手は公知のものを用いることができる。可搬式の高圧洗浄機としては、温水供給管４０から供給される温水を９．８ＭＰａ以上の吐出圧力で吐出（噴射）可能なものが好適に用いられる。薬石層２０の洗浄処理を行う際は、施設管理者が温水供給管４０に高圧洗浄機を適宜接続し、薬石層２０に温水供給管４０の温水を所要吐出圧力で噴射させればよい。温水供給管４０の浴室２４０側の端部は、浴室２４０内における床面に収納しておけばよい。
【００２０】
また、浴室２４０には、ラジウム鉱石６０が配設されている。ここでは、浴室２４０内における放射線量がほぼ均一になるような配列でラジウム鉱石６０を配設した。
【００２１】
以上のようにして本実施形態にかかる薬石温浴施設３００を構成することができる。また、建屋２００を構成する建築材料は特に限定されるものではないが、浴室２４０を含む建屋２００の内壁７０にはヒノキ材を用いることが好ましい。ヒノキ材から放出される成分によりリラックス効果や抗菌作用を得ることができる。これにより使用者が快適に薬石温浴施設３００を利用することができ好都合である。
【００２２】
次に、薬石温浴床１００の他の実施形態について説明する。図３は、他の実施形態における薬石温浴床の断面図である。図３における断面位置は、図２における断面位置（図１中のＡ−Ａ線）と等しい。また、本実施形態における薬石温浴床１００の構成において、先に説明した構成と等しい構成については、先の実施形態で用いた番号を附すことによりここでの詳細な説明は省略する。
【００２３】
本実施形態における薬石温浴床１００は、薬石層２０が、二層構造に形成されている点が特徴的である。図３に示すように、粒径寸法が２５ｍｍ〜５０ｍｍの天照石からなる砕石をコンクリート床版１０の直上に２００ｍｍ以上の厚さで敷設してなる第１の薬石層２２と、粒径寸法が２５ｍｍ以下の天照石からなる砕石を第１の薬石層２２に積層させた状態で２００ｍｍ以上の厚さで敷設してなる第２の薬石層２４と、を有している。
このように、粒径寸法の大きい天照石からなる砕石をコンクリート床版１０側に敷設することで、第１の薬石層２２に効率的に蓄熱させることができると共に、薬石層２０の洗浄後に生じる汚水を確実に排水口１２から排出させることができる。また、２５ｍｍ以下の天照石からなる砕石を薬石温浴床１００の表面側に敷設することにより、天照石から効率的に遠赤外線を放射させることができる点において好都合である。
【００２４】
次に本実施形態にかかる薬石温浴施設３００の利用方法について説明する。ここでは、図２に示した薬石温浴床１００を備えた薬石温浴施設３００の利用方法について説明を行う。
まず、使用者は更衣室２２０で浴衣に着替える。浴衣への着替えが済んだ後、使用者は更衣室２２０から２箇所の扉２３０，２３０を通過して浴室２４０に入る。このように２箇所の扉２３０，２３０を設けることで、更衣室２２０と浴室２４０との間に前室２６０が形成され、浴室２４０の熱気が更衣室２２０側に直接流出してしまうことがなく、熱エネルギーの損失を軽減することができる。浴室２４０内の床は、薬石温浴床１００に形成されているので、使用者は薬石温浴床１００の空きスペースを選択し、手や図示しないレーキ等を用いて図２に示す薬石温浴床１００（薬石層２０）の表面の砕石の一部を移動させて自分の体の幅と同程度の幅寸法の凹部を形成する。薬石層２０の上側部分の砕石は、大きめの粒径（２５ｍｍ〜５０ｍｍ程度）に形成されたものであるため、洗浄処理や凹部形成処理を容易に行うことができる。
使用者は、薬石層２０の上面に形成した凹部に自分の背中や胸等を押し当てるようにして体を横たえることで、薬石温浴床１００に浴することになる。薬石層２０の上面への凹部の形成は、使用者の好みに応じて行えばよく、薬石層２０の上に単に体を横たえるようにしてもよい。
【００２５】
薬石温浴床１００に浴している際には、薬石層２０の上面に凹部を形成した際に当初位置から移動させた砕石を薬石層２０に接触していない側の体表面に載せてもよい。薬石層２０に当接している部位を所要時間ごとに変更しながら薬石温浴床１００に浴すると全身にまんべんなく薬石層２０からの効能を得ることができる。さらには、ラジウム鉱石６０から放出される微弱放射線に浴することもできる。
使用者は水分補給を兼ねた休憩を休憩室２１０等で適宜とりながら繰り返し薬石温浴床１００に浴することで、より効果的に薬石層２０およびラジウム鉱石６０からの効能を享受することができる。
【００２６】
薬石温浴床１００から出た後は、使用者は必要に応じてシャワールーム２５０にてシャワーを浴びる。シャワーに用いる温水は、清浄な温水に天照石を所要時間にわたって浸漬させた後の温水を用いる。使用者はシャワーを浴びた後、私服に着替えて帰宅等すればよい。なお図１中の符号２７０，２８０，２９０は、それぞれ、トイレ、洗面台、化粧台である。
【００２７】
薬石温浴施設３００の管理者は、所要のタイミングで温水供給管４０を浴室２４０の床面から引き出して、図示しない高圧洗浄機を接続し、温水供給管４０から供給される温水を薬石層２０に噴射して薬石層２０を洗浄処理する。高圧洗浄機から噴射される高圧温水により薬石層２０を洗浄処理しているので、薬石層２０の温度低下を防止しながら洗浄処理ができる。また、薬石層２０に浸透した温水（洗浄処理後の水）は、コンクリート床版１０の上面に開口するすり鉢形状に形成された傾斜面１４に沿って各排水口１２に集約された後、排水口１２に接続された図示しない排水管を経由して下水道や排水処理槽に排出処理されるので衛生的である。
【００２８】
以上に本実施形態に基づいて本願発明にかかる薬石温浴施設３００について説明をしてきたが、本願発明にかかる薬石温浴施設３００の技術的範囲は以上の実施形態に限定されるものではない。例えば、本実施形態においては本実施形態におけるコンクリート床版１０は、薬石温浴床１００の建屋２００の基礎と一体に形成されているが、建屋２００の基礎とは別体に形成することもできる。
また、コンクリート床版１０は、各浴室２４０，２４０のほぼ中央位置において、上面に開口する排水口１２を有し、排水口１２を中心としたすり鉢形状をなす傾斜面１４が形成された形態について説明しているが、この形状に限定されるものではない。各浴室２４０，２４０に排水口１２を複数箇所に配設し、それぞれの排水口１２を中心としたすり鉢形状の傾斜面１４が形成されたコンクリート床版１０の構成を採用することもできる。さらには、コンクリート床版１０の上面を片勾配の傾斜面に形成し、コンクリート床版１０の上面の最下位置に有孔パイプ等の排水手段を配設した形態とすることもできる。
【００２９】
また、薬石温浴床１００の他の実施形態においては、図３に示すように、第１の薬石層２２と第２の薬石層２４との層厚さを等しくした実施形態について説明しているが、第１の薬石層２２の層厚さと第２の薬石層２４の層厚さを異ならせた層厚さ寸法とすることも可能である。また、薬石層２０の厚さ寸法も４００ｍｍに限定されず、４００ｍｍ以上の層厚を有する薬石層２０としてもよい。
【００３０】
また、以上の実施形態においては、ペレットボイラー５０の燃料として、茸の人工栽培後に発生した廃培地（廃オガ）を原料としたペレットを用いているが、これに限定されるものではない。他の燃料としては、間伐材を原料としたペレットを用いることもできるし、化石燃料等の燃料を使用することも可能である。
【符号の説明】
【００３１】
１０  コンクリート床版
１２  排水口
１４  傾斜面
２０  薬石層
２２  第１の薬石層
２４  第２の薬石層
３０  加熱配管
４０  温水供給管
５０  ペレットボイラー
５２  温水タンク
６０  ラジウム鉱石
７０  内壁
１００  薬石温浴床
２００  建屋
２１０  休憩室
２２０  更衣室
２３０  扉
２４０  浴室
２５０  シャワールーム
２６０  前室
２７０  トイレ
２８０  洗面台
２９０  化粧台
３００  薬石温浴施設
【図１】
0005571036.tif 000002
【図２】
0005571036.tif 000003
【図３】
0005571036.tif 000004